(57)【要約】【課題】携帯端末において、外観を損なうことなく、簡単且つ組立容易な構成でガラスパネルの損傷を防ぐ。【解決手段】表示部側キャビネット３の周壁３ｃとパネル貼付部３ｂとの間に矩形枠状に周縁溝部３ｄを凹陥し、この周縁溝部３ｄに離間して被係合部３ｅを設ける。周縁溝部３ｄに、表示部側キャビネット３よりも剛性が低く、被係合部３ｅに係合する係合爪１１を有する矩形枠状の装飾部材１０を周壁３ｃとガラスパネル２ｂ外周との間に隙間を保って挟み込まれるように、嵌め込む。【選択図】図１
2014134679.tif 000002
【特許請求の範囲】
【請求項１】
矩形板状の表示ユニット及び該表示ユニットを収容する表示部側キャビネットを備えた携帯端末において、
上記表示ユニットは、矩形板状のガラスパネルを有し、
上記表示部側キャビネットは、
上記ガラスパネルの周縁が貼り付けられる矩形枠状のパネル貼付部と、
上記表示部側キャビネットの周縁に設けられ、少なくとも上記ガラスパネルの高さ以上の高さを有する周壁と、
上記周壁と上記パネル貼付部との間に矩形枠状に凹陥された周縁溝部と、
上記周縁溝部に離間して設けられた被係合部とを備え、
上記周縁溝部には、上記表示部側キャビネットよりも剛性が低く、上記被係合部に係合する係合爪を有する矩形枠状の装飾部材が上記周壁と上記ガラスパネル外周との間に隙間を保って挟み込まれるように、嵌め込まれている
ことを特徴とする携帯端末。
【請求項２】
請求項１に記載の携帯端末において、
上記係合爪は、上記装飾部材の対向する一対の辺に離間して設けられ、各係合爪は、いずれも同じ方向に突出するように鉤部を有し、
上記装飾部材の上記一対の辺に連続する他の一対の辺には、上記ガラスパネルの周縁下面側へ延びる固定用リブが設けられている
ことを特徴とする携帯端末。
【発明の詳細な説明】
【技術分野】
【０００１】
本発明は、矩形板状の表示ユニット及び該表示ユニットを収容する表示部側キャビネットを備えた携帯端末に関するものである。
【背景技術】
【０００２】
従来より、表示ユニットをプラスチックなどで囲んで保護する携帯端末は知られている。例えば、特許文献１のように、フレームの液晶表示パネルが収納される上部スペースの周辺を囲む側板の各辺内面に、エラストマからなる当接パッドをそれぞれ２個づつ、全周にわたり合計８個配設するものが知られている。これら８個の当接パッドは、互いに対向する側板の各当接パッド同士が対向するように配置され、収納される液晶表示パネルの端面に弾接し、これを挟持している。
【０００３】
また、ガラスパネルを覆う飾りパネルとして正面から見てコ字状の枠を取り付けるものも知られている。さらに、ガラスパネルを金属製のキャビネットで隙間なく覆うことも行われている。
【先行技術文献】
【特許文献】
【０００４】
【特許文献１】特開２００６−６５００８号公報
【発明の概要】
【発明が解決しようとする課題】
【０００５】
しかしながら、上記特許文献１の携帯端末では、当接パッドを多数設ける必要があり、部品点数が多く、組付に手間取るという問題がある。
【０００６】
コ字状の枠を設けるものでは、落下時等に枠自体が動いてしまいガラスパネルが損傷する場合がある。一方、ガラスパネルを金属製キャビネットの枠に隙間なく固定してしまうと、緩衝効果がなく、落下時の衝撃がガラスパネルに直接伝わってガラスパネルが割れてしまうという問題がある。
【０００７】
本発明は、かかる点に鑑みてなされたものであり、その目的とするところは、外観を損なうことなく、簡単且つ組立容易な構成でガラスパネルの損傷を防ぐことにある。
【課題を解決するための手段】
【０００８】
上記の目的を達成するために、この発明では、表示部側キャビネットの周壁と、ガラスパネル外周との間に、矩形枠状の装飾部材を嵌め込んだ。
【０００９】
具体的には、第１の発明では、
矩形板状の表示ユニット及び該表示ユニットを収容する表示部側キャビネットを備えた携帯端末を前提とする。
【００１０】
そして、上記表示ユニットは、矩形板状のガラスパネルを有し、
上記表示部側キャビネットは、
上記ガラスパネルの周縁が貼り付けられる矩形枠状のパネル貼付部と、
上記表示部側キャビネットの周縁に設けられ、少なくとも上記ガラスパネルの高さ以上の高さを有する周壁と、
上記周壁と上記パネル貼付部との間に矩形枠状に凹陥された周縁溝部と、
上記周縁溝部に離間して設けられた被係合部とを備え、
上記周縁溝部には、上記表示部側キャビネットよりも剛性が低く、上記被係合部に係合する係合爪を有する矩形枠状の装飾部材が上記周壁と上記ガラスパネル外周との間に隙間を保って挟み込まれるように、嵌め込まれている。
【００１１】
上記の構成によると、ガラスパネルの最も外側を剛性のより高い材料の表示部側キャビネットの周壁で覆うことで、表示部側キャビネットの落下時等の損傷を防ぐと共に、周壁とガラスパネル外周との間に、より剛性の低い装飾部材を隙間を保ちながら挟み込むことにより、周壁に加わった衝撃をガラスパネルに伝えにくくしてガラスパネルの損傷が効果的に防止される。
【発明の効果】
【００１２】
以上説明したように、本発明によれば、表示部側キャビネットの周縁溝部に、この表示部側キャビネットよりも剛性が低い矩形枠状の装飾部材を、周壁とガラスパネル外周との間に隙間を保って挟み込まれるように嵌め込んだことにより、外観を損なうことなく、ガラスパネルの損傷を防ぐことができる。
【図面の簡単な説明】
【００１３】
【図１】（ａ）は、図５のIa−Ia線拡大断面図であり、（ｂ）は、図５のIｂ−Iｂ線拡大断面図であり、（ｃ）は、図５のIｃ−Iｃ線拡大断面図である。
【図２】本発明の実施形態に係る携帯電話機を示し、（ａ）が正面側から見た斜視図で、（ｂ）が背面側から見た斜視図である。
【図３】携帯電話機を正面側から見た分解斜視図である。
【図４】携帯電話機を背面側から見た分解斜視図である。
【図５】表示ユニットを省略した携帯電話機を一部拡大して示す正面図である。
【図６】装飾部材を示し、（ａ）が正面側から見た斜視図で、（ｂ）が背面側から見た斜視図である。
【発明を実施するための形態】
【００１４】
以下、本発明の実施形態を図面に基づいて説明する。
【００１５】
図２は、本発明の実施形態に係る携帯端末としての携帯電話機１を示し、（ａ）が正面側から見た斜視図で、（ｂ）が背面側から見た斜視図である。図３は、携帯電話機１を正面側から見た分解斜視図であり、図４は、携帯電話機１を背面側から見た分解斜視図である。図５は、表示ユニットを省略した携帯電話機１を一部拡大して示す正面図である。図１（ａ）は、図５のIa−Ia線拡大断面図であり、図１（ｂ）は、図５のIｂ−Iｂ線拡大断面図であり、図１（ｃ）は、図５のIｃ−Iｃ線拡大断面図である。
【００１６】
携帯電話機１は、保護シート２ａと矩形板状のガラスパネル２ｂとを有する矩形板状の表示ユニット２を備えている。表示ユニット２は、図示しないタッチパネル、液晶ディスプレイ等を有する。この表示ユニット２は、例えば、比較的剛性の高いガラス繊維入りの繊維強化プラスチックや金属製の表示部側キャビネット３に嵌め込まれている。
【００１７】
そして、表示部側キャビネット３は、例えば板状の剛性フレーム３ａと共にインサート成形され、ガラスパネル２ｂの周縁が貼り付けられる矩形枠状のパネル貼付部３ｂを備えている。ガラスパネル２ｂは、背面側にタッチパネル、液晶ディスプレイ等を貼り付けられた状態で両面テープ２ｃによってパネル貼付部３ｂに貼り付けられている。
【００１８】
図１に示すように、表示部側キャビネット３の周縁には、ガラスパネル２ｂよりも高さの高い周壁３ｃが矩形枠状に立設されている。なお、周壁３ｃの高さをガラスパネル２ｂの高さと揃えてもよい。そして、周壁３ｃとパネル貼付部３ｂとの間には、矩形枠状に周縁溝部３ｄが凹陥されている。図５及び図１（ａ）に示すように、周縁溝部３ｄの一対の左右の辺には、例えば貫通孔よりなる被係合部３ｅが離間して設けられている。
【００１９】
周縁溝部３ｄには、表示部側キャビネット３よりも剛性が低い、例えば、ＡＢＳ樹脂、ＰＡ（ポリアミド）樹脂等よりなる矩形枠状の装飾部材１０が嵌め込まれている。図６は、装飾部材１０を示し、（ａ）が正面側から見た斜視図で、（ｂ）が背面側から見た斜視図である。装飾部材１０は、左右の対向する一対の辺に被係合部３ｅに係合する係合爪１１を有し、その鉤部１１ａは、全て下側へ突出するように設けられている。なお、鉤部１１ａを全て上側に突出するように設けてもよい。また、装飾部材１０の上下一対の辺には、ガラスパネル２ｂの周縁下面側へ延びる固定用リブ１２が設けられている。本実施形態では、例えば下側に３つ、上側に１つ固定用リブ１２を設けているが、その個数は限定されない。装飾部材１０の彩色を表示部側キャビネット３と異ならせることで、外観が向上する。
【００２０】
そして、この装飾部材１０が周縁溝部３ｄに嵌め込まれるときには、鉤部１１ａが被係合部３ｅに挿通された後、下方にスライドさせることで、鉤部１１ａが被係合部３ｅの裏面周縁に引っ掛かる。その後、固定用リブ１２が嵌め込まれたパネル貼付部３ｂに両面テープ２ｃを貼り付け、ガラスパネル２ｂの周縁を両面テープ２ｃに貼り付けると、図１（ｃ）に示すように、ガラスパネル２ｂの周縁とパネル貼付部３ｂとの間に固定用リブ１２が挟み込まれる。このようにして、周壁３ｃとガラスパネル２ｂ外周との間にわずかな隙間を保って装飾部材１０が挟み込まれる。図１に示すように、周壁３ｃの高さと装飾部材１０の高さとを同等にすることにより、外観も向上する。
【００２１】
このように構成したことにより、本実施形態では、（１）ガラスパネル２ｂの最も外側を剛性のより高い材料の表示部側キャビネット３の周壁３ｃで覆うことで、表示部側キャビネット３の落下時等の損傷を防ぐことができる。周壁３ｃとガラスパネル２ｂ外周との間に、より剛性の低い装飾部材１０を隙間を保ちながら挟み込むように嵌め込むことにより、周壁３ｃに加わった衝撃をガラスパネル２ｂに伝えにくくしてガラスパネル２ｂの損傷が効果的に防止される。さらに、装飾部材１０は枠状に一体に成形されているので、簡単な構造で組付が容易である。
【００２２】
（２）係合爪１１を装飾部材１０の対向する一対の辺に離間して設け、各係合爪１１にいずれも同じ方向に突出するように鉤部１１ａを設け、装飾部材１０の一対の辺に連続する他の一対の辺にガラスパネル２ｂの周縁下面側へ延びる固定用リブ１２を設けた。このため、固定用リブ１２をガラスパネル２ｂ周縁と表示部側キャビネット３とで挟み込むことができ、装飾部材１０が外れにくくなる。一方で、係合爪１１の鉤部１１ａを同じ方向に並べることで、組立が容易であると共に、修理時等には外れやすくなる。
【００２３】
以上説明したように、本発明によれば、外観を損なうことなく、ガラスパネル２ｂの損傷を防ぐことができる。
【００２４】
（その他の実施形態）
本発明は、上記実施形態について、以下のような構成としてもよい。
【００２５】
すなわち、上記実施形態では、携帯電話機１は、ストレートタイプのものとしたが、第１の筐体と第２の筐体とが折畳み開閉可能に連結された折畳み式携帯電話機や、第１の筐体が第２の筐体に対してスライド移動可能に連結されたスライド式携帯電話機でもよい。この場合でも、表示ユニットが配置される表示部側キャビネットに本発明を適用すればよい。
【００２６】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２８】
１      携帯電話機（携帯端末）
２      表示ユニット
２ａ    保護シート
２ｂ    ガラスパネル
２ｃ    両面テープ
３      表示部側キャビネット
３ａ    剛性フレーム
３ｂ    パネル貼付部
３ｃ    周壁
３ｄ    周縁溝部
３ｅ    被係合部
１０      装飾部材
１１      係合爪
１１ａ    鉤部
１２      固定用リブ
【図１】
2014134679.tif 000003
【図２】
2014134679.tif 000004
【図３】
2014134679.tif 000005
【図４】
2014134679.tif 000006
【図５】
2014134679.tif 000007
【図６】
2014134679.tif 000008